(57)【要約】【課題】簡略な構造で新規部品を必要とせずにカードを確実に保持できるようにし、且つ省スペースを実現できるようにする。【解決手段】機器本体のバッテリ収容空間６を形成するリブ９の近傍に、バッテリ収容空間６の底面を陥没形成したカード収容窪み１５と、カード収容窪み１５の底部のバネ接点１７にカード１４を押付けた状態で保持するカード支持構造とを有し、カード支持構造が、窪み１５におけるリブ９と離反した側の面１５ａより突出して収容したカード１４の一端１４ａの飛び出しを係止する係止突部１９と、係止突部１９と対向してリブ９に形成した突起２０を有し、窪み１５にカード１４を収容する際には突起２０が押されリブ９が変形してカード１４の挿入を許容し、窪み１５にカード１４が収容された際は突起２０がカード１４の他端１４ｂ上に突出してカード１４の飛び出しを係止する可撓ロック部２１とを備える。【選択図】図３
2005215733.tif 000002
【特許請求の範囲】
【請求項１】
機器本体に備えられるバッテリ収容空間の底面にカードを収容して該カードをバネ接点に押付固定、取出可能に支持するためのカード固定構造であって、
前記バッテリ収容空間の周囲に形成されるリブ近傍のバッテリ収容空間底面に陥没形成されてカードを収容可能な有底のカード収容窪みと、該カード収容窪みの底部に形成した接続用開口を介して前記バネ接点にカードを押付けた状態で保持するカード支持構造とを有し、
前記カード支持構造が、
前記カード収容窪みにおける前記リブと離反した側の面より突出してカード収容窪みに収容したカードの一端の飛び出しを係止する係止突部と、
前記リブの前記係止突部と対向する位置に突起を備え、カード収容窪みにカードを収容する際にはカードの他端が前記突起を押してリブが変形することによりカードの挿入を許容し、カード収容窪みにカードが収容された際は前記突起がカードの他端上に突出してカードの飛び出しを係止する可撓ロック部と、
を備えたことを特徴とするカード固定構造。
【請求項２】
前記可撓ロック部は、前記リブの突起設置部下部に前記カード収容窪みと連通するように形成した切欠部によって変形可能であることを特徴とする請求項１に記載のカード固定構造。
【請求項３】
前記リブは、バッテリ位置決め用リブであることを特徴とする請求項１又は２に記載のカード固定構造。
【請求項４】
前記バッテリ収容空間に隣接してロッドアンテナの収容されるロッドアンテナ収容空間が形成され、前記リブは、前記バッテリ収容空間と前記ロッドアンテナ収容空間との間を仕切るとともに、前記ロッドアンテナの位置決め用リブであることを特徴とする請求項１乃至３のいずれか１つに記載のカード固定構造。
【請求項５】
前記カードは、ＳＩＭカードであることを特徴とする請求項１乃至４のいずれか１つに記載のカード固定構造。
【請求項６】
機器本体に備えられるバッテリ収容空間の底面に、バネ接点に押付固定、取出可能にカードを収容して、該カードに記載された情報を前記機器本体との間でやりとりするようにした携帯端末装置であって、
前記バッテリ収容空間の周囲に形成されるリブ近傍のバッテリ収容空間底面に陥没形成されてカードを収容可能な有底のカード収容窪みと、該カード収容窪みの底部に形成した接続用開口を介して前記バネ接点にカードを押付けた状態で保持するカード支持構造とを有し、
前記カード支持構造が、
前記カード収容窪みにおける前記リブと離反した側の面より突出してカード収容窪みに収容したカードの一端の飛び出しを係止する係止突部と、
前記リブの前記係止突部と対向する位置に突起を備え、カード収容窪みにカードを収容する際にはカードの他端が突起を押してリブが変形することによりカードの挿入を許容し、カード収容窪みにカードが収容された際は前記突起がカードの他端上に突出してカードの飛び出しを係止する可撓ロック部と、
を備えたことを特徴とする携帯端末装置。
【発明の詳細な説明】
【技術分野】
【０００１】
本発明は、携帯端末装置等に対してメモリカード、特にＳＩＭ（Sabscriber Identity Module）カードを装着し、また、取り出すための構造を著しく簡略化して製作コストを低減し且つカードの交換作業を容易に行えるようにしたカード固定構造及びこれを用いた携帯端末装置に関するものである。
【背景技術】
【０００２】
近年、携帯型電話機、ＰＤＡ等の種々の携帯端末装置に、固体メモリを内蔵した小型情報記録媒体であるメモリカードを用いることが広く一般に行われるようになってきている。
【０００３】
特に、ＳＩＭカードは、携帯電話会社等が発行する契約者情報を記録したものであり、このＳＩＭカードは携帯端末装置機等に差込んで利用者の識別に使用するものである。一方、近年では、ＳＩＭカードから発展して契約者情報以外に、電話帳等のプライベートな情報やクレジット返済用の個人識別情報等を暗号化して登録できるようにしたものがあり、これらはＳＩＭカードをベースにしていることからＵＳＩＭ（Universal ＳＩＭ）カードと呼ばれている。
【０００４】
前記したＳＩＭカードは、殆どの場合は携帯端末装置に挿入されたまま使用され、ＳＩＭカードを交換する必要性は殆ど生じない。
【０００５】
従って、携帯端末装置にＳＩＭカードを固定するための構造は、ＳＩＭカードを確実に固定でき且つＳＩＭカードの交換が比較的容易であれば、構成はできるだけ簡単で且つ占有スペースができるだけ小さいことが望まれる。
【０００６】
携帯端末装置内で前記ＳＩＭカードを保持する構造としては、カード保持構造をもつコネクタを使用する方法、或いはカード保持を目的とした新規部品を追加する方法等の種々の方法がある。例えば、特許文献１の如く、バッテリパック取り外し用のスライドレバーの操作でバッテリパックを取り外す際に容易にカードを取り外せる構造が提案されている。
【０００７】
その他には、カード保持構造をもつコネクタには、仮保持する機能しか有していないものがあるが、その場合には別に本保持するための機構を備える必要がある。
【０００８】
また、スライドを利用しない保持方法としては、カード自体を撓ませながらカード固定用の溝に対して取り付け、取り外しを行うようにしたものがある。
【特許文献１】特開２０００−４９９１７号公報
【発明の開示】
【発明が解決しようとする課題】
【０００９】
しかし、カード保持部をケース側に別個に備えた構造は、カード保持部をもたない構造に比べて高価であり、更にカード保持のような新規部品を追加することはコスト、組み込み工数が増加するために問題がある。
【００１０】
また、スライドによってカードを保持する構造では、スライド分のスペースを保持する必要がある。例えば、携帯電話機のように小型、薄型が厳しく求められる製品にとっては、上記スペース増加による基板内実装面積の減少が基板サイズを大きくさせ、それに追随してトータルセットサイズの大型化を招く問題がある。
【００１１】
また、カード自体を撓ませて取り付け保持する構造では、カードを取り外す時にカードを撓ませなければならず、更に取り外す際にカードを押えようとする押え部からの力がカードに働くために、その応力によってカードの信頼性の低下を招く問題がある。
【００１２】
本発明は、上記従来の問題点に鑑みてなしたもので、簡略な構造で新規部品を必要とせずにカードを確実に保持することができ、しかも省スペースを実現することができ、更にカードの着脱時にカードに機械的応力を作用させることなく容易に着脱できるカード固定構造及びこれを用いた携帯端末装置を提供することを目的とする。
【課題を解決するための手段】
【００１３】
以上の目的を達成するために、本発明は、機器本体に備えられるバッテリ収容空間の底面にカードを収容して該カードをバネ接点に押付固定、取出可能に支持するためのカード固定構造であって、
前記バッテリ収容空間の周囲に形成されるリブ近傍のバッテリ収容空間底面に陥没形成されてカードを収容可能な有底のカード収容窪みと、該カード収容窪みの底部に形成した接続用開口を介して前記バネ接点にカードを押付けた状態で保持するカード支持構造とを有し、
前記カード支持構造が、
前記カード収容窪みにおける前記リブと離反した側の面より突出してカード収容窪みに収容したカードの一端の飛び出しを係止する係止突部と、
前記リブの前記係止突部と対向する位置に突起を備え、カード収容窪みにカードを収容する際にはカードの他端が前記突起を押してリブが変形することによりカードの挿入を許容し、カード収容窪みにカードが収容された際は前記突起がカードの他端上に突出してカードの飛び出しを係止する可撓ロック部と、
を備えたことを特徴とする。
【００１４】
また、本発明は、前記可撓ロック部は、前記リブの突起設置部下部に前記カード収容窪みと連通するように形成した切欠部によって変形可能であることが好ましい。
【００１５】
また、本発明は、前記リブは、バッテリ位置決め用リブであることが好ましい。
【００１６】
また、本発明は、前記バッテリ収容空間に隣接してロッドアンテナの収容されるロッドアンテナ収容空間が形成され、前記リブは、前記バッテリ収容空間と前記ロッドアンテナ収容空間との間を仕切るとともに、前記ロッドアンテナの位置決め用リブであることが好ましい。
【００１７】
また、本発明は、前記カードは、ＳＩＭカードであることが好ましい。
【００１８】
更に、上記目的を達成するために、第２の観点に基づく本発明は、機器本体に備えられるバッテリ収容空間の底面に、バネ接点に押付固定、取出可能にカードを収容して、該カードに記載された情報を前記機器本体との間でやりとりするようにした携帯端末装置であって、
前記バッテリ収容空間の周囲に形成されるリブ近傍のバッテリ収容空間底面に陥没形成されてカードを収容可能な有底のカード収容窪みと、該カード収容窪みの底部に形成した接続用開口を介して前記バネ接点にカードを押付けた状態で保持するカード支持構造とを有し、
前記カード支持構造が、
前記カード収容窪みにおける前記リブと離反した側の面より突出してカード収容窪みに収容したカードの一端の飛び出しを係止する係止突部と、
前記リブの前記係止突部と対向する位置に突起を備え、カード収容窪みにカードを収容する際にはカードの他端が突起を押してリブが変形することによりカードの挿入を許容し、カード収容窪みにカードが収容された際は前記突起がカードの他端上に突出してカードの飛び出しを係止する可撓ロック部と、
を備えたことを特徴とする。
【発明の効果】
【００１９】
上述したように本発明のカード固定構造では、バッテリ及びカードを収容する機器本体の筺体の形状のみにてカードの着脱と保持が可能になり、よって極めて簡略な構造にてカードを保持できると共に、省スペースを実現でき、更にカードの着脱時にカードに機械的応力を作用させることがないという優れた効果を有する。
【発明を実施するための最良の形態】
【００２０】
以下、本発明の好適な実施の形態を図面に基づいて説明する。
【００２１】
図１は携帯端末装置の一例である折り畳み形携帯電話機の平面斜視図、図２は図１の折り畳み形携帯電話機の裏面のバッテリ蓋（図示せず）を取り外してバッテリを取り出した状態を示す背面斜視図、図３はバッテリ収容空間底面に陥没形成したカード収容窪みにカードを収容する状態を示す斜視図、図４はカード収容窪みにカードを収容した状態を示す斜視図、図５は図４をＶ−Ｖ方向から見たカード支持構造の説明図、図６は図５をＶＩ−ＶＩ方向から見た説明図である。
【００２２】
図１、図２に示す携帯電話機１は、機器本体を構成する樹脂製の筺体２，３がジョイント部４で折り畳み可能に連結されており、表側の筺体２の表面には表示部５が設けられている。
【００２３】
裏側の筺体３の裏面には、図２に示す如くバッテリ収容空間６が形成されており、このバッテリ収容空間６にバッテリ７を収容して図示しないバッテリ蓋により裏面を閉塞するようになっている。前記バッテリ収容空間６は、バッテリ７を位置決めするための左右のリブ８，９及び前後に設けられるリブ１０と壁部１１とによって形成されており、前記リブ９は筺体３に取り付けられるアンテナ１２のロッドアンテナ１３を位置決めするためのリブとして兼用している。尚、図２においてロッドアンテナ１３の示される場所に、ロッドアンテナ１３の滑動性向上のために筒状に樹脂形成されたスリーブを設ける場合もあるが、この場合は前記リブ９はこのスリーブを取り付ける位置決め用リブとして働く。前部のリブ１０の前方には、前記バッテリ７のコネクタ７ａが接続される接続部７ｂが設けられている。
【００２４】
前記リブ９の近傍位置におけるバッテリ収容空間６の底面には、カード１４、例えばＳＩＭカード１４’を収容するための有底のカード収容窪み１５を陥没形成しており、更にこのカード収容窪み１５にカード１４を収容して保持するようにしたカード固定構造２４を構成している。前記カード収容窪み１５は、前記リブ８又はリブ１０の近傍に設けるようにしてもよい。
【００２５】
前記カード収容窪み１５の底部には接続用開口１６が形成してあり、図５に示す如く前記接続用開口１６に備えたバネ接点１７を介して前記カード１４を基板１８に接続することにより、カード１４に記憶した情報を携帯電話機１との間でやりとりできるようになっている。
【００２６】
前記カード１４を収容するカード収容窪み１５を形成している筺体３には、次に示すカード支持構造が形成されている。
【００２７】
カード支持構造は、前記カード収容窪み１５における前記リブ９と離反した側の面１５ａに、カード収容窪み１５側に突出する係止突部１９を形成しており、該係止突部１９によりカード収容窪み１５に収容したカード１４の一端１４ａの飛び出しを係止するようになっている。
【００２８】
一方、前記リブ９の前記係止突部１９と対向する位置には突起２０が形成してある。この突起２０は、上面がカード収容窪み１５に向けて滑らかに下降するようにした湾曲面を有している。更に、リブ９には、カード収容窪み１５にカード１４を収容する際にカード１４の他端１４ｂが突起２０を押してリブ９を変形させることによりカード１４の挿入を許容し、カード収容窪み１５にカード１４が収容された際は前記突起２０がカード１４の他端１４ｂ上に突出してカード１４の飛び出しを係止するようにした可撓ロック部２１を形成している。
【００２９】
前記可撓ロック部２１は、前記リブ９における突起２０が設置された位置の下部に、前記カード収容窪み１５に連通するように切欠部２２を形成して、突起２０を備えた部分のリブ９が変形し易いようになっている。更に、前記リブ９の上辺にも切込部２３を設けて突起２０が形成された部分のリブ９が更に変形し易いようにしている。また、突起２０のリブ９からの突出量は、リブ９の撓む量よりも小さく構成されている。つまり、リブ９の可撓性が大きくとれるリブ９の厚み、材質であれば、突起２０の突出量は大きくとれる。
【００３０】
以下に、上記形態例の作用を説明する。
【００３１】
前記バッテリ収容空間６の底面に陥没形成したカード収容窪み１５にカード１４（ＳＩＭカード）を収容する際には、図３に示す如くカード１４の一端１４ａが係止突部１９の下側に位置するようにカード１４をカード収容窪み１５に差し込み、続いてカード１４の他端１４ｂ側を矢印Ａで示すようにカード収容窪み１５に押し込むように押圧する。すると、カード１４の他端１４ｂは突起２０に当接するが、突起２０は上面がカード収容窪み１５に向けて滑らかに下降するように湾曲面を有しているために、カード１４の他端１４ｂを押し込むと突起２０を有するリブ９は、変形し易くされた可撓ロック部２１により図４、図５に矢印Ｂで示す如くリブ９の可撓性の範囲内で外方に変形して逃げ、これによりカード１４はバネ接点１７の弾撥力に抗してカード収容窪み１５内に収容される。
【００３２】
カード１４の他端１４ｂがカード収容窪み１５に収容されると、図５の矢印Ｂ’に示す如く、前記突起２０は可撓ロック部２１の弾性によってカード１４の他端１４ｂ上に突出するように復帰し、従ってカード１４は前記係止突部１９と突起２０とによってカード収容窪み１５から飛び出すことなく確実に保持される。このとき、カード１４はバネ接点１７を介して基板１８に接続される。
【００３３】
上記カード１４をカード収容窪み１５に収容保持した状態で、図２に示す如くバッテリ収容空間６にバッテリ７を収容してコネクタ７ａを接続部７ｂに接続し、更に図示しないバッテリ７の裏面を図示しないバッテリ蓋で包囲した状態とし、この状態で携帯電話機１は使用される。
【００３４】
例えば、上記カード１４がＳＩＭカードであれば、このカード１４から取得した使用者に関する情報（電話番号やメールアドレス）を、基板１８上に実装された制御部（図示せず）で認証した上で、アンテナ１２を用いて通信を行う。また、上記カード１４が記録メディアならば、アンテナ１２を用いて通信し得た情報等を、制御部はカード１４に記録する。
【００３５】
前記カード１４を取り外す際は、図２に示すようにバッテリ７を取り外した後、図４、図５に示す如く、前記突起２０が備えられたリブ９における可撓ロック部２１を、矢印Ｂに示す如く外方に押して変形させる。すると、突起２０がカード１４の他端１４ｂ上から退避するので、カード１４の他端１４ｂ側はバネ接点１７の弾撥力によって突起２０の上側に跳ね上がる。
【００３６】
従って、この状態でカード１４の他端１４ｂ側を指で摘まんで一端１４ａを係止突部１９の下方から抜出すように上方に取り出せば、カード１４を取り出すことができる。新たな、カード１４をカード収容窪み１５に収容する時は、前記した手順によって収容することができる。
【００３７】
上述したカード固定構造２４では、バッテリ収容空間６の周囲に形成されるリブ９の近傍のバッテリ収容空間６の底面にカード収容窪み１５を陥没形成し、該カード収容窪み１５におけるリブ９と離反した側の面１５ａより突出してカード収容窪み１５に収容するカード１４の一端１４ａの飛び出しを係止する係止突部１９を設け、リブ９の前記係止突部１９と対向する位置に突起２０を設けると共に、カード収容窪み１５にカード１４を収容する際にはカード１４の他端１４ｂが突起２０を押してリブ９が変形することによりカード１４の挿入を許容し、カード収容窪み１５にカード１４が収容された際は前記突起２０がカード１４の他端１４ｂ上に突出してカード１４の飛び出しを係止する可撓ロック部２１を構成したので、バッテリ７及びカード１４を収容する機器本体の筺体３の形状のみによってカード１４の着脱と保持が可能になり、よって新規部品を必要としない極めて簡略な構造にてカード１４を保持できると共に、省スペースが実現できる。更に、カード１４の着脱時にカード１４に機械的応力が作用することがない。また、カード１４を片手で容易に着脱することができる。
【００３８】
更に、可撓ロック部２１が、リブ９の突起２０を設置した位置の下部にカード収容窪み１５と連通するように形成した切欠部２２により構成されているので、簡略な構成にてリブ９の変形を容易に行わせることができる。
【００３９】
また、カード１４がＳＩＭカード１４’であることにより、該ＳＩＭカード１４’はバッテリ７裏のカード収容窪み１５に収容されるために、ＳＩＭカード１４’を取り出す際にはバッテリ７が取り外された電源ＯＦＦの状態にあるため、個人情報なしで通信が行われることを防止できる。
【００４０】
また、前記した如く簡略な構成のカード固定構造２４を備えた携帯電話機１によれば、携帯電話機１の小型、薄型化が達成できると共に、携帯電話機１を安価に製作することができる。
【００４１】
尚、本発明は上記形態例にのみ限定されるものではなく、本発明の要旨を逸脱しない範囲内において種々変更を加え得ることは勿論である。
【図面の簡単な説明】
【００４２】
【図１】携帯端末装置の一例である折り畳み形携帯電話機の平面斜視図である。
【図２】図１の折り畳み形携帯電話機の裏面のバッテリ蓋を取り外してバッテリを取り出した状態を示す背面斜視図である。
【図３】バッテリ収容空間底面に陥没形成したカード収容窪みにカードを収容する状態を示す斜視図である。
【図４】カード収容窪みにカードを収容した状態を示す斜視図である。
【図５】図４をＶ−Ｖ方向から見たカード支持構造の説明図である。
【図６】図５をＶＩ−ＶＩ方向から見た説明図である。
【符号の説明】
【００４３】
１  携帯電話機（携帯端末装置）
２，３      筺体（機器本体）
６  バッテリ収容空間
８  リブ
９  リブ
１０  リブ
１２  アンテナ
１３  ロッドアンテナ
１４  カード
１４’        ＳＩＭカード
１４ａ        一端
１４ｂ        他端
１５  カード収容窪み
１５ａ        面
１６  接続用開口
１７  バネ接点
１９  係止突部
２０  突起
２１  可撓ロック部
２２  切欠部
２４  カード固定構造
【図１】
2005215733.tif 000003
【図２】
2005215733.tif 000004
【図３】
2005215733.tif 000005
【図４】
2005215733.tif 000006
【図５】
2005215733.tif 000007
【図６】
2005215733.tif 000008